(57)【要約】【課題】      施療機による施療動作内容に最適な室内雰囲気を形成する施療機用リフレッシュルームを提供する。【解決手段】  ボックス型の室内２ａの適所にプログラムにしたがって雰囲気を形成するようにした面状ヒータ２１ａ、酸素発生機構２２ａ、ヒーリングライト２４ａ等の雰囲気形成手段を設けると共に、プログラムにしたがって人体施療部位に対する施療動作を行う施療機４ａを室内２ａに設置して、雰囲気形成手段における動作のプログラムと施療機４ａにおける施療動作のプログラムとを互いに対応するよう構成する。【選択図】    図２
2007209479.tif 000002
【特許請求の範囲】
【請求項１】
ボックス型の室内適所に制御手段により動作させるプログラムにしたがって室内の雰囲気を形成するようにした雰囲気形成手段を設け、制御手段により動作するためのプログラムにしたがって人体施療部位に対する施療動作を行う施療機を室内に設置し、前記雰囲気形成手段における動作の前記プログラムと前記施療機における施療動作の前記プログラムとを互いに対応するよう構成した事を特徴とする施療機用リフレッシュルーム。
【請求項２】
前記雰囲気形成手段における動作のプログラム及び前記施療機における施療動作のプログラムが夫々複数種類が設けられており、前記雰囲気形成手段における動作のプログラムと前記施療機における施療動作のプログラムとのどちらか一方の選択されたプログラムに対応した他方のプログラムが自動的に選択されるようにした事を特徴とする請求項１記載の施療機用リフレッシュルーム。
【請求項３】
前記雰囲気形成手段における動作のプログラム及び前記施療機における施療動作のプログラムの一方または両方は、任意に作成及び登録する事が可能である事を特徴とする請求項１及び請求項２記載の施療機用リフレッシュルーム。
【請求項４】
前記雰囲気形成手段は、温熱機構、酸素発生機構、色光発生機構、芳香発生機構、芳香発生部材のいずれか一つまたは複数を含む構成である事を特徴とする請求項１乃至請求項３記載の施療機用リフレッシュルーム。
【発明の詳細な説明】
【技術分野】
【０００１】
本発明は、施療者が所望する人体施療部位を施療するための施療機を設置すると共に、該施療機の施療動作と対応した最適な室内雰囲気を形成する事が可能な施療機用リフレッシュルームに関するものである。
【背景技術】
【０００２】
従来から、施療機による揉みや叩き、または振動、さすり等の施療動作から得られる施療効果を一層向上させるために、施療機以外の他の付加機能を併用したものが公知となっている。
【０００３】
例えば、施療機と共に、空気よりも酸素濃度の高い濃縮酸素を供給する酸素供給装置を併用するよう構成したものがあるが、該酸素供給装置から発生する濃縮酸素を施療者は施療機での施療中に体内に取り入れる事で、血液中の酸素濃度が高まって疲労の元になる乳酸の分解が促進され、血行が良好にされた状態で施療機による施療効果が得られるようにしたものがあり、このような付加機能により施療効果を相乗的に向上させる事ができるようにしている。
【０００４】
具体的には、図１９に示すような、人体を施療する施療機２を覆うカバー体４と、該カバー体４内部に濃縮酸素を供給する事によって内部雰囲気を形成する手段となる濃縮酸素供給装置３と、該濃縮酸素供給装置３から濃縮酸素供給ホース３８を介して供給される濃縮酸素をカバー体４内部に吹出させる濃縮酸素吹出部３８１とから構成した施療機用濃縮酸素供給装置があり、従来技術として開示されている。
【０００５】
また、この施療機用濃縮酸素供給装置は、前記濃縮酸素供給装置３から供給される濃縮酸素をカバー体４の内部全体に効率よく充填させる事ができるよう工夫されており、前記カバー体４は、座部４２ａの後部に起倒自在に取り付けた背凭れ部４１ａの起倒に対応しつつ不使用空間等の無駄な空間を可及的に省くため、側面視半円形となるよう形成しており、このようにすることでカバー体４内部における濃縮酸素の使用効率を高めている。
【０００６】
尚、施療機２の施療動作と前記施療機用濃縮酸素供給装置の濃縮酸素供給装置３の動作とには関連性はなく、これらは個別に作動するものである。
【特許文献１】特開２００５−１１８０６０号公報（第１３頁、図１）
【発明の開示】
【発明が解決しようとする課題】
【０００７】
ところで、前記の施療機を覆って濃縮酸素を供給できるカバー体は、前述したように可及的に内部空間を小さくしなければならず、そのため施療機を使用している施療者にとっては、圧迫感を感じやすく、リラックスした開放感のある雰囲気をもたらす事が困難であった。
【０００８】
すなわち、酸素供給等の付加機能を備える事により施療効果の向上が図られている一方で、心的なケアが見過ごされてしまうといった新たなマイナスの面が生じており、効果的な施療と心的にも有益な雰囲気形成との融合が課題となっていた。
【０００９】
更に、このような従来の施療機用濃縮酸素供給装置では、施療機の施療動作と施療機用濃縮酸素供給装置による付加機能との関連性が無い為、施療機の施療動作内容毎に該付加機能による動作を極め細かく対応させる事ができず、そのため、該施療動作内容に最適な室内間の雰囲気を形成するまでに至っていなかった。
【００１０】
そのため、最近では、施療動作の内容が多様化され、該施療動作の内容が一連に続くプログラムからなるよう構成されるようになっている近年における施療機の発展状況から、施療機の施療動作内容に付加機能の動作が対応するようにして、効果的な施療と心的にも有益な雰囲気形成との融合が行えるものの開発が望まれている。
【００１１】
そこで本発明は、上記問題点の解決と要望に応えるべく成されたものであり、施療機に付加機能を併用させる事により施療効果の向上を図りながら、心的な面で有益な雰囲気形成を実現し、更に、施療機の施療動作内容と付加機能による動作とが対応して、該施療動作内容に最適な室内雰囲気を形成する事により、施療者が心身共に最適な雰囲気の中で施療する事が可能な、施療機用リフレッシュルームを提供する事を目的とするものである。
【課題を解決するための手段】
【００１２】
すなわち、本発明の施療機用リフレッシュルームは、ボックス型の室内適所に制御手段により動作させるプログラムにしたがって室内の雰囲気を形成するようにした雰囲気形成手段を設け、制御手段により動作するためのプログラムにしたがって人体施療部位に対する施療動作を行う施療機を室内に設置し、前記雰囲気形成手段における動作の前記プログラムと前記施療機における施療動作の前記プログラムとを互いに対応するよう構成している。
【００１３】
また、本発明の施療機用リフレッシュルームは、前記雰囲気形成手段における動作のプログラム及び前記施療機における施療動作のプログラムが夫々複数種類が設けられており、前記雰囲気形成手段における動作のプログラムと前記施療機における施療動作のプログラムとのどちらか一方の選択されたプログラムに対応した他方のプログラムが自動的に選択されるようにしている。
【００１４】
また、本発明の施療機用リフレッシュルームは、前記雰囲気形成手段における動作のプログラム及び前記施療機における施療動作のプログラムの一方または両方は、任意に作成及び登録する事が可能にしている。
【００１５】
更に、本発明の施療機用リフレッシュルームは、前記雰囲気形成手段は、温熱機構、酸素発生機構、色光発生機構、芳香発生機構、芳香発生部材のいずれか一つまたは複数を含む構成にしている。
【発明の効果】
【００１６】
よって、本発明の施療機用リフレッシュルームは、ボックス型の室内適所に、制御手段により動作するためのプログラムにしたがって雰囲気を形成するようにした雰囲気形成手段を設けると共に、制御手段により動作するためのプログラムにしたがって人体施療部位に対する施療動作を行う施療機を設置し、前記雰囲気形成手段における動作のプログラムと前記施療機における施療動作のプログラムとは、互いに対応するよう構成している為、雰囲気形成手段によって、施療者にとって心的にも有益な雰囲気を形成すると共に、施療機にて選択する施療動作に最適な室内での雰囲気が形成される事になるので、施療者が心身共に最適な雰囲気の中で施療に専念する事ができる。
【００１７】
また、本発明の施療機用リフレッシュルームは、前記雰囲気形成手段における動作のプログラム及び前記施療機における施療動作のプログラムは、夫々複数種類が設けられており、前記雰囲気形成手段における動作のプログラムと前記施療機における施療動作のプログラムとの、どちらか一方の選択されたプログラムに対応した他方のプログラムが自動的に選択されるようにしたものである為、雰囲気形成手段における動作のプログラム及び施療機における施療動作のプログラムの両方を設定する必要はなくなり、また、施療者が所望する施療動作に応じた最適な雰囲気が自動的に室内に形成され、或いは施療者が所望する室内の雰囲気に応じた最適な施療動作のプログラムが自動的に行われる。
【００１８】
また、本発明の施療機用リフレッシュルームは、前記雰囲気形成手段における動作のプログラム及び前記施療機における施療動作のプログラムの一方または両方は、任意に作成及び登録する事が可能である為、施療者が所望する施療動作に応じた最適な雰囲気を、または施療者が所望する室内の雰囲気に応じた最適な施療動作のプログラムを自ら作成して、各個人に一層極め細かで最適なプログラムの設定が可能となる。
【００１９】
更に、本発明の施療機用リフレッシュルームは、前記雰囲気形成手段に、温熱機構、酸素発生機構、色光発生機構、芳香発生機構、芳香発生部材のいずれか一つまたは複数を含むように設けている為、温熱機構による温熱効果や、酸素発生機構によるリフレッシュ効果の他、色光発生機構によるカラーテラピー効果や、芳香発生機構または芳香発生部材によるアロマテラピー効果等の一つまたは複数の効果をもたらすことができ、心的に有益な雰囲気を形成するための各種効果を適宜に得られる事ができる。
【発明を実施するための最良の形態】
【００２０】
以下に、本発明の施療機用リフレッシュルームを、図面に示す一実施形態に基づきこれを詳細に説明する。
図１及び図２は本発明の施療機用リフレッシュルームの一実施形態を示す斜視図であり、図３は本発明の施療機用リフレッシュルームの一実施形態を示す使用状態説明図であり、図４は本発明の施療機用リフレッシュルームにおける施療機の一実施形態を示す斜視図であり、図５は本発明の施療機用リフレッシュルームにおける施療機の一実施形態を示す使用状態説明図であり、図６は本発明の施療機用リフレッシュルームにおける施療機の操作部の一実施形態を示す正面図である。図７乃至図９は本発明の施療機用リフレッシュルームにおける室内の操作部の一実施形態を示す正面図であり、図１０は本発明の施療機用リフレッシュルームにおける動作内容及び動作時間からなるプログラムの一実施形態を示す表であり、図１１は本発明の施療機用リフレッシュルームにおける施療機の施療動作内容及び動作時間からなるプログラムの一実施形態を示す表であり、図１２は本発明の施療機用リフレッシュルームにおけるプログラムと施療機のプログラムとが対応した一実施形態を示す表であり、図１３は本発明の施療機用リフレッシュルームにおけるマニュアルモードの操作流れの一実施形態を示すチャート図であり、図１４は本発明の施療機用リフレッシュルームにおけるプログラムの上書きの一実施形態を示す操作流れ図であり、図１５は本発明の施療機用リフレッシュルームにおける動作内容確認の操作流れの一実施形態を示すチャート図、図１６は本発明の施療機用リフレッシュルームにおけるプログラムモードの操作流れの一実施形態を示すチャート図であり、図１７及び図１８は本発明の施療機用リフレッシュルームに使用するプログラムシートの一実施形態を示す説明図であり、図１９は従来技術を示す参考図である。
【００２１】
すなわち、本発明の施療機用リフレッシュルーム１ａは、図1の実施形態で示したように、室内２ａに施療者が入室できるボックス型であり、家屋室内の適所に移動自在に設置したり、または家屋壁面内部にビルトインして据え付けたりするなどして使用する事ができるものである。
【００２２】
前記施療機用リフレッシュルーム１ａの前面左側に、前記室内２ａへ施療者が入室するための入室扉１１ａを開閉スライド自在に設けている。
【００２３】
図２及び図３に示すように、前記室内２ａの内部には、揉みや叩き、または振動、さすり等の施療作用を施療者の人体施療部位にもたらす椅子型の施療機４ａを設置している。尚、該施療機４ａに関する詳細は後述するが、椅子型に限らず、ベッド型やマット型等の施療機も前記室内２ａにおいては設置可能としている。
【００２４】
施療者が前記施療機４ａに着座すると、施療者の左側面が施療機用リフレッシュルーム１ａの前面に向かう態様になる。すなわち、施療機４ａに着座した施療者にとって正面には正面壁１３ａ、背面には背面壁１４ａ、左右側面には夫々側面壁１５ａ・１５ａが位置するよう構成している。
【００２５】
前記側面壁１５ａ片側の後方下部には、前記椅子型の施療機４ａの動作を行うための電源を供給する電源供給部１９ａを配設しており、該電源供給部１９ａに施療機４ａの電源コードが接続されるようにしている。
【００２６】
前記入室扉１１ａと、前記側面壁１５ａには、施療者が室内２ａ内部から外部を視認する事ができるよう、縦長のスリット窓１２ａを幅方向に複数並設している。
【００２７】
前記スリット窓１２ａの幅を大きく取り過ぎると、施療者が室外の他者の視線に過敏になり、心的なストレスを与えてしまう恐れが生じるので、スリット窓１２ａの幅を適度なものとなるようにしている。例として、前記スリット窓１２ａの幅を５０ミリとし、スリット窓１２ａとスリット窓１２ａの間の壁部の幅を１００ミリとする事ができる。
【００２８】
尚、前記スリット窓１２ａは、透明またはスモークが入ったガラス素材や樹脂素材で形成してもよく、また、室内２ａと室外との通気が可能な開閉自在となるようにしてもよい。
【００２９】
前記室内２ａの正面壁１３ａの適所において、喚起機構である換気ファン２３ａが設けられている。これは、室内２ａにこもった空気を室外に排出して、室内２ａの雰囲気をクリアにするためのものである。
【００３０】
図１及び図３に示すように、前記室内２ａの前記正面壁１３ａ、天面１７ａには、温熱機構として雰囲気形成手段となる遠赤外線を照射し得る面状ヒータ２１ａを夫々配設している。
【００３１】
前記面状ヒータ２１ａ（温熱機構）は、前記室内２ａ内部の空気を温めて、図示しないが温度センサと電子的に制御する制御回路を備えた制御手段とにより、施療者の所望する温度になるよう調整される。
【００３２】
また、前記面状ヒータ２１ａの熱照射温度を比較的高温にし、施療者の身体に熱を与えて血行を良好にする温熱効果を付与しつつ前記施療機４ａにて施療するならば、施療効果を一層向上させられる。
【００３３】
前記面状ヒータ２１ａは、電気不良導体の基盤に炭素粉末とポリエチレン等の結合材を混合したものを面材に塗布して、所要の電気抵抗を有する抵抗膜を形成するようにしたものであってもよい。尚、該面状ヒータ２１ａは遠赤外線ヒータに限定されず、前記室内２ａ内部の空気を温めたり、または施療者の身体に熱照射を行う事ができれば、どんな種類のものでもよい。
【００３４】
また、前記面状ヒータ２１ａを前述の配置場所の他に、前記背面壁１４ａ、前記側面壁１５ａ・１５ａ、そして施療者の足裏が接する床面１６ａにも適宜設けてもよい。
【００３５】
更には、前記各面状ヒータ２１ａを、夫々個別に作動するよう構成し、照射温度調整も各面状ヒータ２１ａ毎に行えるようにする事ができる。
【００３６】
前記正面壁１３ａ、前記背面壁１４ａ、前記側面壁１５ａ、前記床面１６ａ、前記天面１７ａは、前記室内２ａにおける雰囲気形成手段となる芳香発生部材から夫々形成されるものとしてもよい。すなわち、該芳香発生部材として芳香性のある檜、杉等の木製部材を活用する事ができる。そのような木製部材は、空気を媒体として独特の芳香を前記室内２ａ内部に放つので、施療者に対し森林浴をする場合と同様のリフレッシュ感を味わう事ができる。
【００３７】
また、前記芳香発生部材として使用する木製部材は加温する事で、より一層芳香を放出する性質があるため、例えば、前記面状ヒータ２１ａを活用する事で、前記室内２ａにおける芳香放出量を調整する事ができる。
【００３８】
尚、前記芳香発生部材は木製部材に限らず、他種の芳香を放つ部材でもよい。また、芳香発生部材の代わりに図示しないが必要に応じて芳香剤をファンにより前記室内２ａ内部に送気するための芳香発生機構を設けてもよい。各種芳香剤を使い分ける事により、鎮静作用や興奮作用、または薬理作用等をもたらす各種芳香療法（アロマテラピー）を実施する事ができる。
【００３９】
図１及び図３に示すように、前記室内２ａの上部に収納部１８ａが設けられ、該収納部１８ａに、空気よりも酸素濃度の高い濃縮酸素を天面１７ａから下方へ突設するノズル２２１ａを介して室内２ａに供給するための雰囲気形成手段となる酸素発生機構２２ａを設けている。該酸素発生機構２２ａにより濃縮酸素を前記施療機４ａの施療者は体内に取り入れて、人体血液中の酸素濃度を高められるので、疲労の元になる乳酸の分解を促進したり、血行を良好にしたりする等のリフレッシュ効果をもたらす事ができる。更には、前記面状ヒータ２１ａの熱照時において施療者にリフレッシュ作用を与えるものとなる。
【００４０】
また、前記室内２ａにおいて、雰囲気形成手段である色光発生機構を備えている。すなわち、図１及び図３に示すように、該色光発生機構として赤（Ｒ）・緑（Ｇ）・青（Ｂ）の色を発光するヒーリングライト２４ａ雰囲気形成手段として前記天面１７ａ中央付近において取り付けている。
【００４１】
前記ヒーリングライト２４ａは、高輝度カラーＬＥＤによるものであり、所望する色が発光する事により、前記室内２ａの前記正面壁１３ａ、前記背面壁１４ａ、前記側面壁１５ａ、前記床面１６ａ、前記天面１７ａの夫々に反射して、室内２ａ全体が該色で包まれたように施療者は視認する。このように施療者の視覚に特定の色光が影響を与え、例えば、赤色の色光であれば気持ちを活性化させたり、逆に青色の色光であれば鎮静化させたりする作用をもたらし、また緑色の色光は爽快さや新鮮さを感じさせて心身共にリフレッシュするよう働きかける。尚、該ヒーリングライト２４ａとは別に、天面１７ａの中央には照明機構である白色に近い光を発する複数の高輝度ＬＥＤからなる室内灯２５ａが設けられている。
【００４２】
図１及び図３に示すように、正面壁１３ａの適所において、前記室内２ａ内部から前記室内２ａの前記雰囲気形成手段やその他の機構を操作するための操作部３ａを配設しており、該操作部３ａによって前記面状ヒータ２１ａ、前記酸素発生機構２２ａ、前記換気ファン２３ａ、前記ヒーリングライト２４ａ、前記室内灯２５ａを含めた室内２ａの各機構を前記制御手段を介して操作するようにしている。必要に応じて、該操作部３ａは室内２ａの外部から操作できるようにしてもよい。
【００４３】
前記操作部３ａには図７に示すように、予め前記室内２ａにおける前記雰囲気形成手段の動作に関わる複数種のプログラムが設けられたプログラムモード設定部３１ａ、表示機構である時間表示部３２１ａを備えたタイマー設定部３２ａ、また、施療者が所望に応じてマニュアル設定するためのマニュアルモード設定部３３ａを夫々備え、他に、設定をクリアにするクリアボタン３４ａ、前記面状ヒータ２１ａによる予熱を開始させる準備予熱ボタン３５ａ、前記室内２ａの空気を換気始動させる換気ボタン３６ａが設けられている。更に、前記酸素発生機構２２ａに備えるフィルター（図示せず）交換を知らせるための警告灯３７ａや、主電源入切機構の入切を示す主電源灯３８ａが設けられている。該操作部３ａの内部基板には、図示しないが音声を発する音発生部も備えている。
【００４４】
図７に示す前記操作部３ａにおける前記タイマー設定部３２ａにおいては、前記プログラムモード設定部３１ａ及び前記マニュアルモード設定部３３ａで設定された動作の時間設定を行うようにしている。該タイマー設定部３２ａには、デジタル表示式の前記時間表示部３２１ａ、時間調節ボタン３２２ａ及び設定ボタン３２３ａを設けており、該時間調節ボタン３２２ａは数値上昇ボタン及び数値下降ボタンにより構成している。
【００４５】
施療者は前記時間表示部３２１ａを確認しながら、前記時間調節ボタン３２２ａを操作して施療者の所望する時間値になるよう調節する。尚、時間調節ボタン３２２ａの数値上昇ボタンと数値下降ボタンは長押しすると、数値の変化が速くなるようにしている。また、時間表示部３２１ａにおける動作時間表示の単位は分とする。
【００４６】
前記室内２ａにおける前記雰囲気形成手段の動作開始後は、前記タイマー設定部３２ａにより施療者が設定した動作時間から１を引いた数値が、残り時間として時間表示部３２１ａに表示され、経時と共に減少する。
【００４７】
前記操作部３ａの前記マニュアルモード設定部３３ａに関して、図７に示すように「エアロマスター」モード、「ウォームモード」というように夫々マニュアルモード名が名付けられ、「エアロマスター」モードでは、前記酸素発生機構２２ａ、前記ヒーリングライト２４ａ夫々の動作を、マニュアル設定する事ができる。
【００４８】
すなわち、前記マニュアルモード設定部３３ａに含まれる酸素ボタン３３１ａを操作する事により、酸素発生機構２２ａから発生する酸素を供給するか否かを選択するようにし、その選択状態を表示機構である酸素選択表示灯３３１ｂにより示す。
【００４９】
また、前記ヒーリングライト２４ａの色光を選択するために、色光選択ボタン３３２ａを備えており、該色光選択ボタン３３２ａを押す毎に、赤色（Ｒ）・緑色（Ｇ）・青色（Ｂ）・変色（Ｆ）の色光モード及び無点灯を順次切り替えて選択する事ができる。変色（Ｆ）の色光モードは、赤色（Ｒ）・緑色（Ｇ）・青色（Ｂ）の色光を順次またはランダムに、一定時間毎または不規則に自動変更するモードの事である。その選択状態を表示機構である色光選択表示灯３３２ｂにより示す。
【００５０】
前記ヒーリングライト２４ａは、発照時において徐々に明るくなるようにしてもよい。例えば８秒かけて少しずつ明るくなるよう設定する事ができる。また、前記室内２ａにおける前記雰囲気形成手段の動作が終了した時点で、８秒かけて少しずつ暗くなり無点灯になるようにしてもよい。
【００５１】
また、前記マニュアルモードでの前記室内２ａにおける前記雰囲気形成手段の動作中においても、前記色光選択ボタン３３２ａを操作して色光の変更を受付けるようにし、その変更時においても例えば８秒かけて現時まで発照していた色光を少しずつ暗くしてゆき、次いで変更した色光が８秒かけて少しずつ明るくなるようにする事もできる。
【００５２】
また、前記マニュアルモード設定部３３ａの前記「ウォームモード」では、前記室内２ａ内部温度の調整を行ったり、前記面状ヒータ２１ａからの熱照射を行ったりすることによって、温熱効果を人体に付与する事ができ、更に、前述したように前記芳香発生部材として使用する木製部材の芳香放出量を調整する事も可能である。
【００５３】
前記各面状ヒータ２１ａは、前述したように夫々個別に作動すると共に個別に温度調整が行えるように構成しており、ヒータ選択ボタン３３３ａにより、前記正面壁１３ａ、前記天面１７ａの各面壁に備えた面状ヒータ２１ａの作動を選択するようにしている。すなわち、該ヒータ選択ボタン３３３ａとして、「前面」、「天面」の各ボタンを設けて、該ボタンを押す事により選択する。
【００５４】
前記ヒータ選択ボタン３３３ａの各ボタンにより、前記各面状ヒータ２１ａの熱照射温度を個別に設定する事ができる。図面では「弱」、「中」、「強」の３段階の熱照射温度レベルを設け、ヒータ選択ボタン３３３ａの各ボタンを押す事により、順次「弱」、「中」、「強」の照射温度及び無照射を選択するようにしている。その選択状態を表示機構であるヒータ選択表示灯３３３ｂにより示す。
【００５５】
尚、前記面状ヒータ２１ａの照射温度は、通電量の調節によって「弱」、「中」、「強」の照射温度が設定されている。更に、それらの照射温度が前記室内２ａ内部で保たれるように、前記温度センサ及び前記制御手段によりＰＩＤ制御を行う。温度センサのサンプリングタイムは５秒間として設定する事ができる。
【００５６】
また、前記ヒータ選択ボタン３３３ａにおいて選択した熱照射温度に達しない状況では、前記ヒータ選択表示灯３３３ｂを点滅させ、熱照射温度に達した時点で、該ヒータ選択表示灯３３３ｂを点灯させるようにするならば、施療者が状況を把握し易くなる。
【００５７】
前記タイマー設定部３２ａでの設定と、前記マニュアルモード設定部３３ａでの設定とを完了した後、マニュアルモード開始終了ボタン３３４ａを押す事により、前記室内２ａにおける前記雰囲気形成手段は施療者の設定したマニュアルモードでの作動を開始し、タイマー設定部３２ａで設定した設定時間が満ちると該作動は終了する。或いは、作動中にマニュアルモード開始終了ボタン３３４ａを押すと、作動は中止するようにしている。
【００５８】
但し、前記「ウォームモード」は、前記マニュアルモード開始終了ボタン３３４ａを押さずとも、前記ヒータ選択ボタン３３３ａを操作した時点から、前記面状ヒータ２１ａの予熱を開始するように設定がなされている。
【００５９】
前記「ウォームモード」では前記温度センサにより、室内２ａの内部温度が感知され、例えば該温度が２８度以下の場合は、全ての前記面状ヒータ２１ａが最高レベルの通電量となり、室内２ａの内部温度が２８度になるまで該通電を行うようにしてもよい。
【００６０】
尚、このような前記「ウォームモード」の予熱制御に関しては、前記面状ヒータ２１ａの通電を前記制御手段で行う方式としてＰＩＤ制御を採用している。
【００６１】
さらに、前記「ウォームモード」の予熱通電中は、前記予熱作動表示灯３５１ａが点滅するようにし、予熱が完了するか、または該点滅時間が１５分経過すると、予熱作動表示灯３５１ａが点灯状態になるようにしている。その時点で前記操作部３ａの前記音発生部から、予熱完了を伝える音声を発生させてもよい。
【００６２】
前記マニュアルモード設定部３３ａにおけるマニュアルモードの操作流れを、図１３に示したチャート図にしたがって説明する。
【００６３】
まず、前記主電源入切機構を入れる事により、前記操作部３ａの前記主電源灯３８ａが点灯し、「初期状態」となる。次いで、前記タイマー設定部３２ａにより動作時間を設定する。
【００６４】
次に、前記マニュアルモード設定部３３ａの「エアロマスター」モード、「ウォームモード」の各モードにおいて、所望する動作選択を行う。尚、これらの各モードを組み合わせた設定も可能である。
【００６５】
前記マニュアルモード設定部３３ａでの設定を全てクリアにする場合は、前記クリアボタン３４ａを押して、再度マニュアルモード設定部３３ａでの設定を行う事ができる。
【００６６】
前記マニュアルモード設定部３３ａでの設定完了後、前記マニュアルモード開始終了ボタン３３４ａを押すならば、該設定通りに前記室内２ａにおける前記雰囲気形成手段の動作を開始する事になる。尚、雰囲気形成手段の動作中において、前記タイマー設定部３２ａで設定された動作時間内であれば、マニュアルモード設定部３３ａでの再設定を受け付けるようにし、該設定に基づいて雰囲気形成手段は動作を変更する。
【００６７】
前記タイマー設定部３２ａにより設定した動作時間が満了した時点で、前記設定した動作は終了することになる。その終了と同時に、前記換気ファン２３ａが所定の時間、例えば１０分間作動して、前記室内２ａに滞留した空気を室外に排出するようにしている。換気中は前記操作部３ａの前記換気作動表示灯３６１ａが点灯する。
【００６８】
また、前記マニュアルモードの終了と共に、前記タイマー設定部３２ａの前記時間表示部３２１ａの残り時間は「０」を表示する。
【００６９】
尚、前記タイマー設定部３２ａにより設定した動作時間が満了しなくても、その途中で前記マニュアルモード開始終了ボタン３３４ａを押すと、該動作は終了する。また、前記「初期状態」に戻して再度、タイマー設定部３２ａから始める場合は、前記クリアボタン３４ａを押す。
【００７０】
前述したマニュアルモードの動作時間設定は、前記時間調節ボタン３２２ａの前記数値上昇ボタンと前記数値下降ボタンのいずれかを押して時間調節操作を開始した時点で、前記時間表示部３２１ａに「３０」の数値が表示されるようにし、その後該数値上昇ボタンと数値下降ボタンにより数値を調節するようにしてもよい。
【００７１】
次に、プログラムモードに関して以下に説明する。
図７に示すように、前記操作部３ａの前記プログラムモード設定部３１ａにおいては、複数種のプログラムとして「リラックス」モード、「プレスレンダー」モード、「アフターマインド」モードというように夫々プログラムモード名が名付けられると共に、予め夫々特有の動作内容及び動作時間がプログラムされたプログラムモードを、プログラム選択機構であるプログラム選択ボタン３１１ａにより選択できるようにしている。その選択状態は、表示機構であるモード選択表示灯３１１ｂにより示す。
【００７２】
前記「リラックス」モード、「プレスレンダー」モード、「アフターマインド」モードの各プログラムモードは、プログラムステージ毎に区切られており、該各ステージの組み合わせによって構成される。該各ステージは、前記夫々雰囲気形成手段の動作内容及び動作時間からなる。
【００７３】
前記各ステージの内容には、前記「エアロマスター」モードに含まれる前記酸素発生機構２２ａやヒーリングライト２４ａの動作、また、前記「ウォームモード」の動作を含める事ができる。例えば、前記「プレスレンダー」モードでは、該プログラムモードにおける最初のステージを「ウォームモード」とし、その後前述した他の動作が設定されている別のステージが続くように構成する事ができる。
【００７４】
前記各ステージの進行中において動作状態を視覚的に表示するために、該動作に該当するいずれかの前記操作部３ａにある前記酸素選択表示灯３３１ｂ、前記色光選択表示灯３３２ｂ、前記ヒータ選択表示灯３３３ｂを点灯させるようにしている。
【００７５】
前記「リラックス」モード、「プレスレンダー」モード、「アフターマインド」モードの各プログラムモードは、上書きして各プログラムを書き替える事ができる。その上書き手順を図１４に示す。
【００７６】
最初に、上書きを所望する前記プログラムモードを前記プログラム選択ボタン３１１ａにより選択し、次いで前記タイマー設定部３２ａの前記設定ボタン３２３ａを長押しすると、選択したプログラムモードの前記モード選択表示灯３１１ｂが点滅して上書きモードに入る。
【００７７】
まず、第一ステージの動作内容及び動作時間を設定する。前記マニュアルモード設定部３３ａでの各ボタンを操作して所望する動作内容を選択する。その後、前記設定ボタン３２３ａを押してその設定を確定する。それから第一ステージの時間設定を前記タイマー設定部３２ａにおいて行い、再度設定ボタン３２３ａを押す事により第一ステージの上書きを終える。
【００７８】
前記第一ステージの上書きの後、すぐに第二ステージの上書きに入り、第一ステージの上書きと同様、動作内容と動作時間を設定する。このような仕方で順次各ステージの上書きを行っていく。プログラムモードの上書きを終了する場合は、前記設定ボタン３２３ａを長押しする。この時、点滅していた前記モード選択表示灯３１１ｂは点灯状態となる。
【００７９】
前記各ステージを組み合わせて構成する各プログラムモードにおいて、動作時間の上限（例えば６０分）を設ける場合は、該上限の動作時間内で各ステージの動作内容及び動作時間を変更させる必要がある。
【００８０】
尚、各ステージの設定における該マニュアルモード設定部３３ａでの各ボタンの操作が始まる前は、前記酸素選択表示灯３３１ｂ、前記色光選択表示灯３３２ｂ、前記ヒータ選択表示灯３３３ｂは、いずれも無点灯にし、前記タイマー設定部３２ａの前記時間表示部３２１ａは、「０」の数値を表示するようにしている。
【００８１】
また、前述とは異なってステージ毎の設定に先立ち、予め設定されている該ステージの動作内容が、前記酸素選択表示灯３３１ｂ、前記色光選択表示灯３３２ｂ、前記ヒータ選択表示灯３３３ｂのいずれかにより表示されると共に、予め設定されている該ステージの動作時間が前記時間表示部３２１ａに示されるようにし、それに基づいて施療者が上書き変更するようにしてもよい。
【００８２】
例えば、前記「リラックス」モードの第一ステージの動作内容及び動作時間の例として図８において示すが、前記酸素選択表示灯３３１ｂ、青（Ｂ）の前記色光選択表示灯３３２ｂ、「天面」−「弱」の前記ヒータ選択表示灯３３３ｂが夫々点灯して第一ステージの動作内容を表示すると共に、前記タイマー設定部３２ａの前記時間表示部３２１ａには、「１０」の数値を表示するよう設定がなされている。
【００８３】
前記「リラックス」モードの第一ステージ動作内容の変更を図９のように行う場合は、青（Ｂ）の色光を選択表示していた色光選択表示灯３３２ｂが、緑（Ｇ）の色光を選択表示選択表示されるよう前記色光選択ボタン３３２ａを押して選択する。その後、前記設定ボタン３２３ａを押してその設定を確定する。
【００８４】
次いで、前記タイマー設定部３２ａにおいて時間設定を行う。図９では、前記時間表示部３２１ａが「１５」の数値表示となるよう前記時間調節ボタン３２２ａにより変更している。それから再度前記設定ボタン３２３ａを押す事により第一ステージの上書きを終える。前記第一ステージの上書きの後、第二ステージの上書きに入り、第一ステージの上書きと同様、予め設定されている該第二ステージの動作内容及び動作時間が表示され、それに基づいて施療者は上書き変更する。
【００８５】
尚、各ステージのはじめに表示される予め設定されたステージの動作内容及び動作時間を変更しない場合は、ただ設定ボタン３２３ａを押して次のステージにスキップさせるようにする事ができる。
【００８６】
前記「リラックス」モードの他に、前記「プレスレンダー」モード、「アフターマインド」モードも前述と同じようにして、書き替えを可能としている。
【００８７】
前述した各プログラムモードの書き替え作業のために、図１７に示すようなプログラム作成表であるプログラムシート７ａを活用する事ができる。
【００８８】
前記プログラムシート７ａは、前記プログラムモード毎に一枚ずつ使用し、各ステージ毎に前記室内２ａでの前記雰囲気形成手段において所望する動作内容及び動作時間に該当するプログラムシート７ａに設けた升目７１ａに記入するか、塗りつぶすかして選択し作成する。各ステージの動作時間は施療者が自由に設定できるので、自由にプログラムシート７ａに記入してもよい。
【００８９】
このように、前記プログラムシート７ａを作成すれば、前記操作部３ａにおけるプログラムモードの書き替え作業をよりスムーズに行う事ができるし、また作成したプログラムシート７ａを保存して、適宜使用する事ができる。
【００９０】
前記プログラムモード設定部３１ａには、施療者が所望するプログラムを夫々任意に作成して登録するための任意プログラム作成登録機能を備えており、３パターンの作成プログラムモードを登録する事ができるようにしている。そのため、前記プログラムモード設定部３１ａ上には該３パターンとして「Ａ」、「Ｂ」、「Ｃ」の各表示と、該作成プログラムモードの選択状態を示す表示機構であるモード選択表示灯３１１ｂを夫々設けている。それらの「Ａ」、「Ｂ」、「Ｃ」の各作成プログラムモードは、前記プログラム選択ボタン３１１ａにより選択し、前記プログラムモード開始終了ボタン３１２ａにより動作を開始する。
【００９１】
前記作成プログラムモードは、前記「リラックス」モード、「プレスレンダー」モード、「アフターマインド」モードと同様、各ステージの組み合わせによって構成している。該各ステージは、夫々前記室内２ａにおける前記雰囲気形成手段の動作内容及び動作時間からなる。
【００９２】
前記「Ａ」、「Ｂ」、「Ｃ」の各作成プログラムモードにおける作成方法について、まず前記プログラムモード設定部３１ａで、前記「Ａ」、「Ｂ」、「Ｃ」の各作成プログラムモードのうち一つを選択する。選択された該作成プログラムモードは、モード選択表示灯３１１ｂにより点灯する。
【００９３】
次に、前記タイマー設定部３２ａの前記設定ボタン３２３ａを長押しすると、前記モード選択表示灯３１１ｂの点灯が点滅に変わり作成モードに入る。
【００９４】
例えば、図１０に示すような各ステージ毎における動作内容及び動作時間になるようプログラムを作成する場合、まず、第一ステージとして前記マニュアルモード設定部３３ａの前記酸素ボタン３３１ａで前記酸素選択表示灯３３１ｂが点灯するよう選択し、前記色光選択ボタン３３２ａで青（Ｂ）の色光選択表示灯３３２ｂが点灯するよう選択する。その後、前記タイマー設定部３２ａの前記時間表示部３２１ａに動作時間として「５」の数値が表示されるように前記時間調節ボタン３２２ａを操作する。続いて、設定ボタン３２３ａを押す事により第一ステージの設定を完了する。
【００９５】
次に、第二ステージの作成に入り、前記酸素選択表示灯３３１ｂの点灯を継続させて、前記色光選択ボタン３３２ａで赤（Ｒ）の色光選択表示灯３３２ｂが点灯するよう選択する。その後、前記タイマー設定部３２ａの前記時間表示部３２１ａに動作時間として「１０」の数値が表示されるように前記時間調節ボタン３２２ａを操作する。その後、設定ボタン３２３ａを押して第二ステージの設定を完了する。
【００９６】
第二ステージの設定の後、第三ステージは、前記酸素選択表示灯３３１ｂの点灯を継続させ、前記色光選択ボタン３３２ａで色光選択表示灯３３２ｂが緑（Ｇ）を選択するようにする。その後、前記タイマー設定部３２ａの前記時間表示部３２１ａに動作時間として「５」の数値が表示されるように前記時間調節ボタン３２２ａを操作する。その後、設定ボタン３２３ａを押して第三ステージの設定を完了する。
【００９７】
続いて、第四、第五というように順次各ステージの動作内容及び動作時間を設定していく。仮に前述したように前記室内２ａにおける前記雰囲気形成手段の動作時間の上限を６０分としているならば、該設定は該上限時間の範囲内とし、それを超過すると設定を受け付けないようにすればよい。
【００９８】
尚、前記任意プログラム作成登録機能は、言うまでもなく何度も上書きしてプログラムを書き替える事ができる。
【００９９】
更に、前述した任意プログラム作成登録機能により、プログラムモードを登録する作業のために、図１７に示すようなプログラムシート７ａを前述した同じ方法で活用する事ができる。
【０１００】
図１５に示すのは、前記各プログラムモードの動作内容を施療者が確認する手順である。まず、前記プログラム選択ボタン３１１ａを押してプログラムモードを選択する。次いで前記プログラムモード開始終了ボタン３１２ａを長押しすると、最初に第一ステージの動作内容が、前記酸素選択表示灯３３１ｂ、前記色光選択表示灯３３２ｂ、前記ヒータ選択表示灯３３３ｂにより表示されると同時に、該第一ステージの動作時間が時間表示部３２１ａに示される。
【０１０１】
次いで、一定の時間（例えば５秒）毎に各ステージの動作内容及び動作時間が順次表示されてゆき、最終ステージの表示に至る。その後、前記初期状態に戻る。
【０１０２】
次に、前記プログラムモード設定部３１ａにおけるプログラムモードの操作流れ図として、図１６に示す。まず、前記主電源入切機構を入れる事により、前記操作部３ａの前記主電源灯３８ａが点灯し、「初期状態」となる。
【０１０３】
次に、前記プログラムモード設定部３１ａの「リラックス」モード、「プレスレンダー」モード、「アフターマインド」モードの各プログラムモード、または前記任意プログラム作成登録機能に登録させた「Ａ」、「Ｂ」、「Ｃ」の３パターンのプログラムモードのいずれかを、前記プログラム選択ボタン３１１ａにより選択する。尚、前記プログラム選択ボタン３１１ａによって選択されたプログラムモードの初期動作が「ウォームモード」である場合は、該選択時点から、前述したように前記面状ヒータ２１ａの予熱を開始する。
【０１０４】
前記プログラムモード設定部３１ａでの設定を全てクリアにする場合は、前記クリアボタン３４ａを押して、再度プログラムモード設定部３１ａでの設定を行う事ができる。
【０１０５】
前記プログラムモード設定部３１ａでの設定完了後、前記プログラムモード開始終了ボタン３１２ａを押すならば、該設定通りに作動を開始する事になる。尚、該作動中においてもプログラムモード設定部３１ａでの再設定を受け付けるようにしている。
【０１０６】
前記各プログラムモードでの予め設定されている動作時間が満了した時点で、該動作は終了することになる。その終了と同時に、前記換気ファン２３ａが所定の時間、例えば１０分間作動して、前記室内２ａに滞留した空気を室外に排出するようにしている。換気中は前記操作部３ａの換気作動表示灯３６１ａが点灯する。
【０１０７】
また、前記マニュアルモードの終了と共に、前記タイマー設定部３２ａの前記時間表示部３２１ａの残り時間は「０」を表示する。
【０１０８】
尚、前記タイマー設定部３２ａにより設定した動作時間が満了しなくても、その途中で前記プログラムモード開始終了ボタン３１２ａを押すと、該動作は終了する。また、前記「初期状態」に再度戻す場合は、前記クリアボタン３４ａを押す。
【０１０９】
前述したマニュアルモードまたはプログラムモードでの作動時間外において、前記室内２ａの前記操作部３ａが前記初期状態の際に前記警告灯３７ａが点灯している場合は、前記操作部３ａの前記プログラムモード開始終了ボタン３１２ａ及び前記マニュアルモード開始終了ボタン３３４ａを操作しても、該作動を開始しないようにしている。
【０１１０】
また、前記「初期状態」においては、前記操作部３ａ上の全ての表示は、前記主電源灯３８ａ及び前記警告灯３７ａ以外、無表示となるようにしている。すなわち、前記プログラムモード設定部３１ａにおける前記モード選択表示灯３１１ｂ、前記タイマー設定部３２ａの前記時間表示部３２１ａ、前記マニュアルモード設定部３３ａにおける前記酸素選択表示灯３３１ｂ、前記色光選択表示灯３３２ｂ、前記ヒータ選択表示灯３３３ｂ、またその他の前記予熱作動表示灯３５１ａ、前記換気作動表示灯３６１ａが、「初期状態」において無表示または無点灯状態となる。
【０１１１】
以上、本発明の施療機用リフレッシュルーム１ａにおける前記室内２ａの構成について詳細に説明したが、前記各雰囲気形成手段のプログラムにしたがう動作、及びその他の動作は、前記制御手段により制御する。
【０１１２】
次に、前記施療機４ａについて詳述する。前記施療機４ａは前述したように椅子型であり、図４及び図５に示すように、使用者の背部側である肩、腰、背中、それに肩または腕の側部の接触部となる背凭れ部４１ａと、使用者の尻の接触部となる座部４２ａを備えたものとしている。さらに、該座部４２ａの前端部には、上下動自在とした足載せ部４３ａを備え、座部４２ａの左右両側に夫々肘掛け部４４ａを設けている。背凭れ部４１ａは、座部４２ａの後部に起倒自在として取り付けたものとしている。
【０１１３】
前記背凭れ部４１ａの内部には、上下動自在として位置変更できる左右一対の施療子を備えた施療子施療機構４１１ａを備えたものとしており、該施療子施療機構４１１ａは、揉みや叩き、または振動、さすり等の施療動作を行う。
【０１１４】
また、前記背凭れ部４１ａ、また前記座部４２ａ及び前記足載せ部４３ａ、それに前記肘掛け部４４ａの人体施療部位が当接する各適所において、空気給排装置４５ａからエアホース４５１ａを介して空気の給気及び排気を繰り返す事により、空気袋が膨縮動作または膨張保持する空圧施療機構４１２ａを設けている。該空圧施療機構４１２ａは、前記施療子施療機構４１１ａより人体施療部位に対する刺激が少なく、より心地よい施療を実施する事ができる。
【０１１５】
前記空圧施療機構４１２ａの前記空気袋が平坦な箇所に設けられているのであれば、人体施療部位に対して押圧施療を行い、人体施療部位を嵌入するための凹部内部に対向して設けられているのであれば、挟圧施療を行うよう構成している。図４の施療機４ａの例では、前記背凭れ部４１ａ及び前記座部４２ａの平坦な箇所においては押圧施療、前記足載せ部４３ａ及び前記肘掛け部４４ａ上部、また背凭れ部４１ａの人体施療部位を嵌入するために形成された凹部においては挟圧施療が行えるようにしている。
【０１１６】
前記施療機４ａの前記背凭れ部４１ａの起倒動作または前記足載せ部４３ａ上下動作、前記施療子施療機構４１１ａや前記空圧施療機構４１２ａの動作、またはその他の動作は、電子的に制御する制御回路を備えた制御手段によって制御されるようにしている。
【０１１７】
図４に示すように、前記施療機４ａの片側である肘掛け部４４ａの上方において、前記背凭れ部４１ａの起倒動作や前記足載せ部４３ａ上下動作、また、前記施療子施療機構４１１ａや空圧施療機構４１２ａ、その他の施療機４ａにおける全ての動作を電子制御して操作するための操作部４６ａを備えている。
【０１１８】
前記操作部４６ａの表面上部には、図６に示すように前記施療機４ａの操作の選択を指示したり、施療機４ａの現在動作状況や次期動作状況を表示したりする等のために、液晶表示である表示部４６１ａを設けている。
【０１１９】
また、前記操作部４６ａの表面中下部には、前記施療機４ａの動作を開始させるスタートボタン４６２ａと、施療機４ａの動作を強制的に停止するための停止ボタン４６３ａ、それに施療機４ａの各施療動作内容が一連に実行されるようプログラムされた複数種のプログラムを実行するためのプログラムモード実行ボタン４６４ａと、各種プログラムモードを前記表示部４６１ａを施療者が見ながら選択するための十字ボタン形状の表示部選択ボタン４６５ａを夫々備えている。
【０１２０】
前記施療機４ａのプログラムにおける施療動作は、前記制御手段によって制御する。
【０１２１】
前記プログラムモードとして図６の前記操作部４６ａにある前記表示部４６１ａに示すように、複数種のプログラムとして「疲労回復」、「リフレッシュ」、「やすらぎ」、「エアー」と称する各種施療プログラムモードを備えており、前記施療子施療機構４１１ａ及び前記空圧施療機構４１２ａにより、「疲労回復」モードはくまなく十分に施療部位をほぐす施療動作を行い、「リフレッシュ」モードでは「疲労回復」モードよりも施療感が強くはなく、ゆったりと施療部位をほぐすようにしており、また、「やすらぎ」モードは、「疲労回復」モードや「リフレッシュ」モードよりもさらに施療感が優しくなるよう設定している。
【０１２２】
前記「エアー」モードは、前記施療子施療機構４１１ａを動作させず、前記空圧施療機構４１２ａの施療動作のみとなり、前記プログラムモードの中では最も柔軟な優しい施療感をもたらす。
【０１２３】
尚、前記施療機４ａの施療感の違いは、前記施療子施療機構４１１ａに設けた施療子の動作速度やその突出量、また前記空圧施療機構４１２ａに備えた空気袋の膨縮動作速度や内部圧力等の違いによるものとしている。
【０１２４】
前記施療機４ａの前記プログラムモードは、施療動作内容及び動作時間からなる一つのステージを組み合わせて構成されている。すなわち、図１１の表で示すプログラムモードの場合、第一ステージとして、「もみ下げ」、「もみ上げ」、「背筋のばし」と称する一連の施療動作内容を２分の動作時間で行い、第二ステージは、「もみ下げ」、「もみ上げ」、「極たたき」、「腰極たたき」と称する一連の施療動作内容を５分で構成し、第三ステージは、「もみ下げ」、「もみ上げ」、「首ほぐし」、「指圧」と称する一連の施療動作内容を３分で実施するようにしている。その後第四ステージに続く。
【０１２５】
前記施療機４ａにおいて、前記プログラムモードを実行する場合、図６に示す前記操作部４６ａの前記スタートボタン４６２ａを押し、次いで前記プログラムモード実行ボタン４６４ａを押すと所定のプログラムモードにおける施療動作を開始するようにしている。または、前記表示部４６１ａに表示されている各種プログラムモードを、前記表示部選択ボタン４６５ａで選択して実行する事もできる。
【０１２６】
尚、前記スタートボタン４６２ａを押した際に、自動的に前記足載せ部４３ａや前記背凭れ部４１ａが、施療動作に適した所定の位置になるよう変位してもよい。
【０１２７】
複数の施療者で使用する場合は、体形や好み、体調等の個人差が生じる事になるが、前記施療機４ａはそれに対応するため、図６に示すように前記操作部４６ａの前記表示部４６１ａの下部に、施療者が個人毎に選択するための個人選択モードボタン４６６ａを備えている。該個人選択モードボタン４６６ａは「１」、「２」、「３」、「Ｍ」の各種ボタンで構成している。
【０１２８】
例えば、前記施療機４ａが各施療者の身長に対応するよう構成している場合は、前記個人選択モードボタン４６６ａの「１」のボタンは身長１５５センチ前後、「２」のボタンは身長１６５センチ前後、「３」のボタンは身長１７５センチ前後の施療者の身長に対応できるように設定され、これにより前記施療子施療機構４１１ａの前記背凭れ部４１ａ内部における昇降最上位置が各施療者の身長に対応して調節される事になる。尚、該昇降最上位置を施療者の肩位置としてもよい。
【０１２９】
更に、前記個人選択モードボタン４６６ａの前記「Ｍ」のボタンは、施療者の好みに応じて任意に設定登録するために使用し、個人選択モードボタン４６６ａを各施療者の身長に対応させた構成である場合は、前記施療子施療機構４１１ａの前記背凭れ部４１ａ内部における前記昇降最上位置を、施療者の好みに応じて設定登録する事ができる。
例えば、前記施療子施療機構４１１ａの施療子が施療者が所望する最適な肩位置に位置する際に、「Ｍ」のボタンを使用してその肩位置を登録する事ができるし、または、身長の数値を入力して登録する事も可能である。
【０１３０】
前記個人選択モードボタン４６６ａは、前述した各施療者の身長に対応するためのみならず、他にも、体重や体調、心的状態等にも対応するようにしてもよいし、または、前述した各種プログラムモードの選択ができるようにしてもよい。
【０１３１】
また、個人選択モードボタン４６６ａの前記「Ｍ」のボタンにおいて、施療者が任意に作成した前記施療機４ａの施療動作及び施療時間からなるステージによって構成されるプログラムモードを登録させ、それを実行するよう構成する事ができる。
【０１３２】
例えば、前記操作部４６ａの前記表示部４６１ａにおいて、プログラムモードの各ステージの設定画面の切換が前記表示部選択ボタン４６５ａにて変更自在になっており、各ステージ毎に前記施療機４ａの各種施療動作内容及び各動作時間（例として分単位）が表示されるようにしている。該各種施療動作内容及び各動作時間は、表示部選択ボタン４６５ａにより選択を行うようにし、各ステージのプログラム構成を作成してゆく。最後に前記「Ｍ」のボタンにおいて登録する。
【０１３３】
このような「Ｍ」のボタンの機能を前記個人選択モードボタン４６６ａの「１」、「２」、「３」のボタンに、同じように付与して使用する事も可能である。この場合は、少なくとも４種類の作成されたプログラムモードを登録しておく事ができる。
【０１３４】
前記施療機４ａの施療動作におけるプログラムと、前記室内２ａの雰囲気形成手段の動作におけるプログラムとは、互いに対応するように構成する事ができる。すなわち、施療機４ａは前述したように、プログラムモードとして「疲労回復」、「リフレッシュ」、「やすらぎ」、「エアー」と称する各種施療モードを備えているが、これらの施療機４ａの各プログラムモードは、前記室内２ａでの前記雰囲気形成手段におけるプログラムモードである前述した「リラックス」モード、「プレスレンダー」モード、「アフターマインド」モードの各プログラムモードに対応したものとしている。
【０１３５】
よって、施療者は前記施療機４ａの前記操作部４６ａにて選択する施療動作に最適な前記室内２ａでの雰囲気が形成される事になる。
【０１３６】
例えば、図１２の表に示すように、前記施療機４ａの前記「疲労回復」モードは、前述したように施療感が最も強く、くまなく十分に施療部位をほぐす施療動作を行うようステージ毎に設定されている。これに対応して設定される前記室内２ａにおける「プレスレンダー」モードは、前記酸素発生機構２２ａによる酸素供給を行うと共に、前記ヒーリングライト２４ａによる赤（Ｒ）色の色光（図面では第一及び第二ステージ）による施療者の気持ちの活性化を図りつつ、前記「ウォームモード」（図面では前面天面共に「強」）における前記面状ヒータ２１ａの温熱効果をもたらすようにしている。
【０１３７】
図示しないが、前記施療機４ａの「疲労回復」モードよりも施療感が強くはなく、ゆったりと施療部位をほぐす前記「リフレッシュ」モードは、前記室内２ａでの前記雰囲気形成手段における前記「リラックス」モードに対応し、室内２ａの前記ヒーリングライト２４ａの色光を、爽快さや新鮮さを感じさせて心身共にリフレッシュするよう働きかける緑（Ｇ）色の発光となるようプログラムに組み入れると共に、前記面状ヒータ２１ａの温熱効果を「中」の熱照射温度レベルに保つ等の設定が行える。
【０１３８】
また、前記「疲労回復」モードや前記「リフレッシュ」モードよりもさらに施療感が優しくなるよう設定する前記施療機４ａにおける前記「やすらぎ」または「エアー」のモードでは、前記室内２ａでの前記雰囲気形成手段による前記「アフターマインド」モードに対応し、前記ヒーリングライト２４ａの色光を、鎮静化作用をもたらす青（Ｂ）色となるようプログラムに組み入れたりする事ができる。
【０１３９】
このようにして、施療機４ａの施療動作内容毎に各雰囲気形成手段の各機構の動作を極め細かく対応させて、該施療動作内容に最適な室内雰囲気を形成する事ができる。
【０１４０】
図１２の場合は、前記施療機４ａと前記室内２ａでの前記雰囲気形成手段による各プログラムモードにおける各ステージの各動作時間は統一しており、各ステージ毎に施療機４ａの施療動作に応じた室内２ａの雰囲気形成手段によるプログラムの設定を極め細かく行うことができる。
尚、前記施療機４ａのプログラムモードと前記室内２ａでの前記雰囲気形成手段におけるプログラムモードの、各ステージの各動作時間は必ずしも同じである必要はなく、個別に夫々設定する事ができる。
【０１４１】
更に、適宜動作内容が無い前記ステージも組み込む事により、プログラムモードにおいて施療機４ａのみの動作、または施療機用リフレッシュルーム１ａのみの動作となる部分を設ける事ができる。
【０１４２】
また、前述したのは、前記施療機４ａの施療動作に応じて前記室内２ａでの前記雰囲気形成手段による動作プログラムを設定するものであったが、逆に雰囲気形成手段による動作プログラムに応じた施療機４ａの施療動作プログラムの設定が行えるようにしてもよい。
【０１４３】
さらに、前記背凭れ部４１ａの起倒動作または前記足載せ部４３ａ上下動作、その他の施療機４ａにおける前記施療子施療機構４１１ａや前記空圧施療機構４１２ａ以外の動作も、施療機４ａのプログラムモードのステージにおける施療動作内容に含める事も可能である。
【０１４４】
前記操作部４６ａの前記個人選択モードボタン４６６ａの付近には、前記室内２ａにおける雰囲気形成手段の動作プログラムと、前記施療機４ａの施療動作ブログラムとの連動と非連動を選択するための連動選択ボタン４６７ａを備えている。
【０１４５】
前記室内２ａの雰囲気形成手段と前記施療機４ａの施療動作との連動手段として、室内２ａの前記操作部３ａと施療機４ａの前記操作部４６ａとが、互いに通信ケーブルを使用しない無線で信号を発信及び受信するようにしたものを採用している。
【０１４６】
前記室内２ａの前記操作部３ａと前記施療機４ａの前記操作部４６ａは、前記連動手段にて受信した信号を夫々の前記制御手段に配信されるようにし、夫々の制御手段により室内２ａでの前記雰囲気形成手段及び施療機４ａは動作を行う。
【０１４７】
例えば、前記連動選択ボタン４６７ａで前記室内２ａでの前記雰囲気形成手段による動作プログラムと前記施療機４ａの施療動作プログラムが連動するよう選択した場合、室内２ａの前記操作部３ａにある前記プログラムモード設定部３１ａの「リラックス」モードと前記施療機４ａの操作部４６ａにある前記個人選択モードボタン４６６ａの「１」のボタン、プログラムモード設定部３１ａの「プレスレンダー」モードと個人選択モードボタン４６６ａの「２」のボタン、プログラムモード設定部３１ａの「アフターマインド」モードと個人選択モードボタン４６６ａの「３」のボタン、それに、プログラムモード設定部３１ａにある前記任意プログラム作成登録機能を実行するために備えた前記「Ａ」、「Ｂ」、「Ｃ」の各作成プログラムモードと個人選択モードボタン４６６ａの「Ｍ」のボタンとが、夫々関連付けがなされる。
【０１４８】
すなわち、前記個人選択モードボタン４６６ａの「１」のボタンを選択すると、前記プログラムモード設定部３１ａの「リラックス」モードを選択実行する事になり、個人選択モードボタン４６６ａの「２」のボタンを選択すると、プログラムモード設定部３１ａの「プレスレンダー」モードを選択実行し、個人選択モードボタン４６６ａの「３」のボタンの選択は、プログラムモード設定部３１ａの「アフターマインド」モードの選択実行となるようにしている。
【０１４９】
また、前記個人選択モードボタン４６６ａの「Ｍ」のボタンの選択によって、前記プログラムモード設定部３１ａにある前記「Ａ」、「Ｂ」、「Ｃ」の各作成プログラムモードのどれかを選択実行するようにしており、この場合、「Ｍ」のボタンを押す毎に「Ａ」、「Ｂ」、「Ｃ」の各作成プログラムモードの選択が変わるようにし、「Ａ」、「Ｂ」、「Ｃ」の各作成プログラムモードのうち選択されたプログラムモードが実行できるようにしてもよい。
【０１５０】
このように、前記施療機４ａにおける施療動作の選択されたプログラムに対応した前記室内２ａの前記雰囲気形成手段における動作のプログラムが自動的に選択されるようにしているのである。
【０１５１】
したがって、前記施療機４ａに着座した施療者が、わざわざ施療機４ａから離れて施療動作に応じた前記室内２ａの雰囲気が形成されるよう前記室内２ａの前記操作部３ａを操作しなくてもよく、且つ、施療者が所望する施療動作に応じた最適な雰囲気が室内２ａに形成される事になる。
【０１５２】
例えば、図１２の表に示すのは前述したように、前記施療機４ａの前記「疲労回復」モードと、該「疲労回復」モードに対応する前記室内２ａでの前記雰囲気形成手段による前記「プレスレンダー」モードのプログラム構成であるが、施療者は施療機４ａの操作部４６ａにある前記スタートボタン４６２ａを押し、さらに前記連動選択ボタン４６７ａを押して、前記室内２ａの前記雰囲気形成手段における動作プログラムと施療機４ａの施療動作プログラムとが連動状態となるようにすると共に、前記個人選択モードボタン４６６ａの「２」のボタンを選択するだけで、この図１２に示されるプログラム構成に沿って、施療機４ａの施療動作プログラム及び室内２ａでの前記雰囲気形成手段による動作プログラムは互いに連動する事になる。
【０１５３】
前記施療機４ａの操作部４６ａにある前記個人選択モードボタン４６６ａの前記「Ｍ」のボタンと、前記室内２ａの前記操作部３ａにある前記プログラムモード設定部３１ａの前記「Ａ」、「Ｂ」、「Ｃ」の各作成プログラムモードとを活用して、施療機４ａ及び室内２ａにおける前記雰囲気形成手段による各プログラムモードを前述した方法で施療者が独自に作成し、施療機４ａの施療動作プログラムに対応する雰囲気形成手段における動作プログラムを設定する事ができる。
【０１５４】
この場合、図１８に示すようなプログラム作成表であるプログラムシート７ａを活用する事ができる。該プログラムシート７ａは、作成するプログラムモード毎に一枚ずつ使用し、各ステージ毎に動作内容及び動作時間に該当するプログラムシート７ａに設けた升目７１ａに記入するか、塗りつぶすかして選択し作成する。各ステージの動作時間は施療者が自由に設定できるので、自由にプログラムシート７ａに記入してもよい。
【０１５５】
図１８の例で示す前記室内２ａでの前記雰囲気形成手段による動作プログラムの設定の場合は、例えば作成するプログラムモードの登録先を、前記プログラムモード設定部３１ａにある前記「Ａ」の作成プログラムモードとし、先ず第一ステージにおいて、前記酸素発生機構２２ａの酸素発生動作、前記ヒーリングライト２４ａの青（Ｂ）色の発光、前記正面壁１３ａに設けた前記面状ヒータ２１ａを「弱」レベルの熱照射温度、及び前記天面１７ａに設けた面状ヒータ２１ａを「強」レベルの熱照射温度を夫々選択し、動作時間を１０分に設定し、第二ステージとしては第一ステージの動作設定内容のうち、正面壁１３ａに設けた面状ヒータ２１ａの熱照射温度を「弱」から「中」に変更した動作内容として、動作時間を１０分とし、第三ステージは、第二ステージの動作設定内容のうち、酸素発生機構２２ａは動作せず、正面壁１３ａに設けた面状ヒータ２１ａの熱照射温度を「中」から「強」に変更した動作内容として、動作時間を２分とし、第四ステージは、第三ステージの動作設定内容のうち、ヒーリングライト２４ａの発光を緑（Ｇ）色に変更して、動作時間を８分として作成し、最後に前記「Ａ」の作成プログラムモードに登録する。
【０１５６】
また、図１８における前記施療機４ａの設定の場合は、前記操作部４６ａにある前記個人選択モードボタン４６６ａの前記「Ｍ」のボタンが登録先となり、先ず、第一ステージとしては施療動作内容が無い空白部分を６分間設け、第二ステージの施療動作内容を前記「もみ下げ」とすると共に動作時間を２分とし、第三ステージの施療動作内容を前記「もみ上げ」とすると共に動作時間を３分とし、第四ステージとして前記「背筋のばし」の施療動作内容を１分間とする。更に第五ステージは施療動作内容が無い空白部分を６分間設け、前記「極たたき」の施療動作内容を２分とする第六ステージ、前記「腰極たたき」の施療動作内容を２分とする第七ステージ、前記「首ほぐし」の施療動作内容を２分とする第八ステージ、前記「指圧」の施療動作内容を２分とする第九ステージと続いて設定し、第十ステージは１分間の「背筋のばし」の施療動作を再度行うようにする。第十一ステージは施療動作内容の無い３分間とし、最後に前記「Ｍ」のボタンに登録する。
【０１５７】
前記のように、前記室内２ａでの前記雰囲気形成手段による動作プログラム及び前記施療機４ａの施療動作プログラムの各設定登録を行った後、施療機４ａに着座した施療者は、前記操作部４６ａの前記スタートボタン４６２ａを押し、さらに前記連動選択ボタン４６７ａを押して、前記雰囲気形成手段による動作プログラムと施療機４ａの施療動作プログラムとが連動状態となるようにすると共に、前記個人選択モードボタン４６６ａの前記「Ｍ」のボタンを選択するだけで、この図１８に示されるプログラム構成に沿って、施療機４ａの施療動作プログラム及び室内２ａでの前記雰囲気形成手段による動作プログラムが連動する事になる。
【０１５８】
図７に示すように、前記室内２ａの前記操作部３ａにも、前記施療機４ａの前記操作部４６ａに設けた前記連動選択ボタン４６７ａのような、施療機４ａの施療動作プログラム及び室内２ａでの前記雰囲気形成手段による動作プログラムが連動するための連動選択ボタン３９ａを設ける事ができる。
【０１５９】
この場合、先ず施療者が前記施療機４ａに着座して施療を受ける前に、操作部３ａに設けた前記連動選択ボタン３９ａを選択する事により、施療機４ａの施療動作プログラム及び室内２ａでの前記雰囲気形成手段による動作プログラムが連動する状態となるようにした後、操作部３ａの前記プログラムモード設定部３１ａにある前記プログラム選択ボタン３１１ａにて所望する雰囲気形成手段における動作プログラムモードを選択すると共に、前記プログラムモード開始終了ボタン３１２ａを押してから施療者が施療機４ａに着座するだけで、施療機４ａの施療動作プログラム及び室内２ａでの前記雰囲気形成手段による動作プログラムが連動する事になる。
【０１６０】
例えば、前記操作部３ａの前記プログラム選択ボタン３１１ａにより、前記「プレスレンダー」モードを選択するならば、前記施療機４ａは前記「疲労回復」モードのプログラムモードとなり、図１２に示すようなプログラムにしたがって動作する。
【０１６１】
このように、前記室内２ａの前記雰囲気形成手段における動作のプログラムに対応した前記施療機４ａにおける施療動作の選択されたプログラムが自動的に選択されるようにする事が可能である。
【０１６２】
尚、前記室内２ａの前記操作部３ａに前記連動選択ボタン３９ａを設けると共に、前記施療機４ａの前記操作部４６ａに前記連動選択ボタン４６７ａを設ける場合は、連動選択ボタン３９ａ及び連動選択ボタン４６７ａのどちらか先に使用する方の操作部が優先となり、施療機４ａの施療動作のプログラム及び室内２ａでの前記雰囲気形成手段による動作のプログラムが連動するよう、優先となった操作部にて前述した方法でプログラム設定が行える。
【０１６３】
こうして、前記雰囲気形成手段における動作の前記プログラムと前記施療機４ａにおける施療動作の前記プログラムとの、どちらか一方の選択されたプログラムに対応した他方の前記プログラムが自動的に選択されるようにしている。
【図面の簡単な説明】
【０１６４】
【図１】本発明の施療機用リフレッシュルームの一実施形態を示す斜視図である。
【図２】本発明の施療機用リフレッシュルームの一実施形態を示す斜視図である。
【図３】本発明の施療機用リフレッシュルームの一実施形態を示す使用状態説明図である。
【図４】本発明の施療機用リフレッシュルームにおける施療機の一実施形態を示す斜視図である。
【図５】本発明の施療機用リフレッシュルームにおける施療機の一実施形態を示す使用状態説明図である。
【図６】本発明の施療機用リフレッシュルームにおける施療機の操作部の一実施形態を示す正面図である。
【図７】本発明の施療機用リフレッシュルームにおける室内の操作部の一実施形態を示す正面図である。
【図８】本発明の施療機用リフレッシュルームにおける室内の操作部の一実施形態を示す正面図である。
【図９】本発明の施療機用リフレッシュルームにおける室内の操作部の一実施形態を示す正面図である。
【図１０】本発明の施療機用リフレッシュルームにおける動作内容及び動作時間からなるプログラムの一実施形態を示す表である。
【図１１】本発明の施療機用リフレッシュルームにおける施療機の施療動作内容及び動作時間からなるプログラムの一実施形態を示す表である。
【図１２】本発明の施療機用リフレッシュルームにおけるプログラムと施療機のプログラムとが対応した一実施形態を示す表である。
【図１３】本発明の施療機用リフレッシュルームにおけるマニュアルモードの操作流れの一実施形態を示すチャート図である。
【図１４】図１４は本発明の施療機用リフレッシュルームにおけるプログラムの上書きの操作流れの一実施形態を示すチャート図である。
【図１５】本発明の施療機用リフレッシュルームにおける動作内容確認の操作流れの一実施形態を示すチャート図である。
【図１６】本発明の施療機用リフレッシュルームにおけるプログラムモードの操作流れの一実施形態を示すチャート図である。
【図１７】本発明の施療機用リフレッシュルームに使用するプログラムシートの一実施形態を示す説明図である。
【図１８】本発明の施療機用リフレッシュルームに使用するプログラムシートの一実施形態を示す説明図である。
【図１９】従来技術を示す参考図である。
【符号の説明】
【０１６５】
１ａ  施療機用リフレッシュルーム
１１ａ  入室扉
１２ａ  スリット窓
１３ａ  正面壁
１４ａ  背面壁
１５ａ  側面壁
１６ａ  床面
１７ａ  天面
１８ａ  収納部
１９ａ  電源供給部
２ａ  室内
２１ａ  面状ヒータ
２２ａ  酸素発生機構
２２１ａ  ノズル
２３ａ  換気ファン
２４ａ  ヒーリングライト
２５ａ  室内灯
３ａ  操作部
３１ａ  プログラムモード設定部
３１１ａ  プログラム選択ボタン
３１２ａ  プログラムモード開始終了ボタン
３１１ｂ  モード選択表示灯
３２ａ  タイマー設定部
３２１ａ  時間表示部
３２２ａ  時間調節ボタン
３２３ａ  設定ボタン
３３ａ  マニュアルモード設定部
３３１ａ  酸素ボタン
３３１ｂ  酸素選択表示灯
３３２ａ  色光選択ボタン
３３２ｂ  色光選択表示灯
３３３ａ  ヒータ選択ボタン
３３３ｂ  ヒータ選択表示灯
３３４ａ  マニュアルモード開始終了ボタン
３４ａ  クリアボタン
３５ａ  準備予熱ボタン
３５１ａ  予熱作動表示灯
３６ａ  換気ボタン
３６１ａ  換気作動表示灯
３７ａ  警告灯
３８ａ  主電源灯
３９ａ  連動選択ボタン
４ａ  施療機
４１ａ  背凭れ部
４１１ａ  施療子施療機構
４１２ａ  空圧施療機構
４２ａ  座部
４３ａ  足載せ部
４４ａ  肘掛け部
４５ａ  空気給排装置
４５１ａ  エアホース
４６ａ  操作部
４６１ａ  表示部
４６２ａ  スタートボタン
４６３ａ  停止ボタン
４６４ａ  プログラムモード実行ボタン
４６５ａ  表示部選択ボタン
４６６ａ  個人選択モードボタン
４６７ａ  連動選択ボタン
【図１】
2007209479.tif 000003
【図２】
2007209479.tif 000004
【図３】
2007209479.tif 000005
【図４】
2007209479.tif 000006
【図５】
2007209479.tif 000007
【図６】
2007209479.tif 000008
【図７】
2007209479.tif 000009
【図８】
2007209479.tif 000010
【図９】
2007209479.tif 000011
【図１０】
2007209479.tif 000012
【図１１】
2007209479.tif 000013
【図１２】
2007209479.tif 000014
【図１３】
2007209479.tif 000015
【図１４】
2007209479.tif 000016
【図１５】
2007209479.tif 000017
【図１６】
2007209479.tif 000018
【図１７】
2007209479.tif 000019
【図１８】
2007209479.tif 000020
【図１９】
2007209479.tif 000021